(57)【要約】【課題】冷媒/水熱交換器（40）における水の加熱不足を抑制する。【解決手段】冷媒/水熱交換器（40）は、冷媒回路（30）において圧縮機（31）の吐出側に接続されている。減圧器（50）は、冷媒回路（30）において冷媒/水熱交換器（40）の下流側に接続されている。冷媒回路（30）は、圧縮機（31）から吐出された冷媒が冷媒/水熱交換器（40）と減圧器（50）と室外熱交換器（34）とを順に通過して室内熱交換器（32）で蒸発するように冷媒を循環させる冷房動作を行う。冷媒/水熱交換器（40）は、水と圧縮機（31）から吐出された冷媒とを熱交換させるように構成されている。減圧器（50）は、冷媒/水熱交換器（40）から流出した冷媒を減圧可能に構成されている。【選択図】図１
2015124912.tif 000002
【特許請求の範囲】
【請求項１】
圧縮機（31）と室内熱交換器（32）と室外熱交換器（34）とを有する冷媒回路（30）と、
上記冷媒回路（30）において上記圧縮機（31）の吐出側に接続された冷媒/水熱交換器（40）と、
上記冷媒回路（30）において上記冷媒/水熱交換器（40）の下流側に接続された減圧器（50）とを備え、
上記冷媒回路（30）は、上記圧縮機（31）から吐出された冷媒が上記冷媒/水熱交換器（40）と上記減圧器（50）と上記室外熱交換器（34）と上記室内熱交換器（32）とを順に通過するように冷媒を循環させる冷房動作を行い、
上記冷媒/水熱交換器（40）は、水と上記圧縮機（31）から吐出された冷媒とを熱交換させるように構成され、
上記減圧器（50）は、上記冷媒/水熱交換器（40）から流出した冷媒を減圧可能に構成されている
ことを特徴とする給湯空調システム。
【請求項２】
請求項１において、
上記減圧器（50）の減圧量を制御する制御部（100）をさらに備えている
ことを特徴とする給湯空調システム。
【請求項３】
請求項２において、
上記制御部（100）は、上記冷媒/水熱交換器（40）の冷媒圧力が予め定められた目標冷媒圧力となるように上記減圧器（50）の減圧量を制御する
ことを特徴とする給湯空調システム。
【請求項４】
請求項３において、
上記目標冷媒圧力は、上記冷媒/水熱交換器（40）の水出口温度に対して予め定められた目標水温度に基づいて設定される
ことを特徴とする給湯空調システム。
【請求項５】
請求項２〜４のいずれか１つにおいて、
上記制御部（100）は、上記冷媒/水熱交換器（40）における熱交換よりも空調運転効率を優先する場合に、上記減圧器（50）の減圧量を最小に設定する
ことを特徴とする給湯空調システム。
【請求項６】
請求項２〜４のいずれか１つにおいて、
上記冷媒回路（30）は、上記冷媒/水熱交換器（40）と上記減圧器（50）とを迂回して上記圧縮機（31）の吐出側と該減圧器（50）の下流側とを接続するバイパス機構（70）をさらに有し、
上記バイパス機構（70）は、上記圧縮機（31）の吐出側から上記減圧器（50）の下流側への冷媒の流通を許容する流通状態と、該冷媒の流通を遮断する遮断状態とに設定可能に構成され、
上記制御部（100）は、上記冷媒/水熱交換器（40）における熱交換よりも空調運転効率を優先する場合に、上記減圧器（50）の減圧量を最大に設定するとともに上記バイパス機構（70）を流通状態に設定する
ことを特徴とする給湯空調システム。
【請求項７】
請求項２〜６のいずれか１つにおいて、
上記制御部は、上記冷房動作において空調運転効率よりも上記冷媒/水熱交換器（40）における熱交換を優先する場合であって、上記室内熱交換器（32）の冷却能力が室内の冷房に必要となる冷却能力となっているが、該冷媒/水熱交換器（40）の加熱能力が不足している場合に、上記冷媒/水熱交換器（40）が凝縮器となり上記室外熱交換器（34）および上記室内熱交換器（32）が蒸発器となる冷凍サイクルを行うように上記冷媒回路（30）を制御する
ことを特徴とする給湯空調システム。
【請求項８】
請求項１〜７のいずれか１つにおいて、
上記冷媒回路（30）は、上記圧縮機（31）から吐出された冷媒が上記冷媒/水熱交換器（40）と上記減圧器（50）と上記室内熱交換器（32）と上記室外熱交換器（34）とを順に通過するように冷媒を循環させる暖房動作を行う
ことを特徴とする給湯空調システム。
【請求項９】
請求項１〜８のいずれか１つにおいて、
上記冷媒/水熱交換器（40）によって加熱された水を貯留する貯留タンク（21）をさらに備えている
ことを特徴とする給湯空調システム。
【発明の詳細な説明】
【技術分野】
【０００１】
この発明は、給湯と空調とを行う給湯空調システムに関する。
【背景技術】
【０００２】
従来より、給湯と空調とを行う給湯空調システムが知られている（例えば、特許文献１など）。特許文献１の給湯空調システムでは、冷媒回路において圧縮機と四方切換弁との間に給湯熱交換器を設け、給湯熱交換器において圧縮機から吐出された冷媒と給湯タンクに供給される水とを熱交換させることにより、冷媒から水へ温熱を付与して水を加熱している。
【先行技術文献】
【特許文献】
【０００３】
【特許文献１】特開２００９−９２２５１号公報
【発明の概要】
【発明が解決しようとする課題】
【０００４】
特許文献１の給湯空調システムでは、冷房運転において圧縮機から吐出された冷媒は、冷媒/水熱交換器（給湯熱交換器）を通過した後に室外熱交換器（凝縮器）に流入することになる。したがって、冷媒/水熱交換器における冷媒圧力（凝縮圧力）は、室外熱交換器における冷媒圧力（凝縮圧力）と実質的に同一となっている。そのため、室外熱交換器の冷媒圧力が低くなっている場合（例えば、室外熱交換器において冷媒と熱交換される室外空気の温度が低くなっている場合）、冷媒/水熱交換器における冷媒圧力も低くなっているので、冷媒/水熱交換器において水を十分に加熱することができなくなるおそれがある。
【０００５】
そこで、この発明は、冷媒/水熱交換器における水の加熱不足を抑制することが可能な給湯空調システムを提供することを目的とする。
【課題を解決するための手段】
【０００６】
第１の発明は、圧縮機（31）と室内熱交換器（32）と室外熱交換器（34）とを有する冷媒回路（30）と、上記冷媒回路（30）において上記圧縮機（31）の吐出側に接続された冷媒/水熱交換器（40）と、上記冷媒回路（30）において上記冷媒/水熱交換器（40）の下流側に接続された減圧器（50）とを備え、上記冷媒回路（30）が、上記圧縮機（31）から吐出された冷媒が上記冷媒/水熱交換器（40）と上記減圧器（50）と上記室外熱交換器（34）と上記室内熱交換器（32）とを順に通過するように冷媒を循環させる冷房動作を行い、上記冷媒/水熱交換器（40）が、水と上記圧縮機（31）から吐出された冷媒とを熱交換させるように構成され、上記減圧器（50）が、上記冷媒/水熱交換器（40）から流出した冷媒を減圧可能に構成されていることを特徴とする給湯空調システムである。
【０００７】
上記第１の発明では、冷房動作において圧縮機（31）から吐出された冷媒は、減圧器（50）を通過して室外熱交換器（34）に流入する。すなわち、冷房動作において、冷媒/水熱交換器（40）と室外熱交換器（34）との間に圧力差を生じさせることができる。これにより、冷媒/水熱交換器（40）における冷媒圧力（凝縮圧力）を室外熱交換器（34）における冷媒圧力よりも高くすることができるので、冷媒/水熱交換器（40）における冷媒温度（凝縮温度）を室外熱交換器（34）における冷媒温度よりも高くすることができる。
【０００８】
第２の発明は、上記第１の発明において、上記減圧器（50）の減圧量を制御する制御部（100）をさらに備えていることを特徴とする給湯空調システムである。
【０００９】
上記第２の発明では、冷房動作において冷媒/水熱交換器（40）と室外熱交換器（34）との間の圧力差を調節することができる。これにより、冷房動作において冷媒/水熱交換器（40）における冷媒温度（凝縮温度）を調節することができる。
【００１０】
第３の発明は、上記第２の発明において、上記制御部（100）が、上記冷媒/水熱交換器（40）の冷媒圧力が予め定められた目標冷媒圧力となるように上記減圧器（50）の減圧量を制御することを特徴とする給湯空調システムである。
【００１１】
上記第３の発明では、冷媒/水熱交換器における冷媒温度（凝縮温度）を所望の冷媒温度に維持することができる。
【００１２】
第４の発明は、上記第３の発明において、上記目標冷媒圧力が、上記冷媒/水熱交換器（40）の水出口温度に対して予め定められた目標水温度に基づいて設定されることを特徴とする給湯空調システムである。
【００１３】
上記第４の発明では、冷媒/水熱交換器（40）の冷媒圧力に対する目標冷媒圧力を、冷媒/水熱交換器（40）の水出口温度に対する目標水温度に基づいて設定することにより、冷媒/水熱交換器（40）の水出口温度を目標水温度に維持することができる。
【００１４】
第５の発明は、上記第２〜第４の発明のいずれか１つにおいて、上記制御部（100）が、上記冷媒/水熱交換器（40）における熱交換よりも空調運転効率を優先する場合に、上記減圧器（50）の減圧量を最小に設定することを特徴とする給湯空調システムである。
【００１５】
上記第５の発明では、減圧器（50）における冷媒の圧力損失を最小にすることができるので、減圧器（50）の圧力損失に伴う圧縮機（31）の吐出圧力の上昇量を最小にすることができる。
【００１６】
第６の発明は、上記第２〜第４の発明のいずれか１つにおいて、上記冷媒回路（30）が、上記冷媒/水熱交換器（40）と上記減圧器（50）とを迂回して上記圧縮機（31）の吐出側と該減圧器（50）の下流側とを接続するバイパス機構（70）をさらに有し、上記バイパス機構（70）が、上記圧縮機（31）の吐出側から上記減圧器（50）の下流側への冷媒の流通を許容する流通状態と、該冷媒の流通を遮断する遮断状態とに設定可能に構成され、上記制御部（100）が、上記冷媒/水熱交換器（40）における熱交換よりも空調運転効率を優先する場合に、上記減圧器（50）の減圧量を最大に設定するとともに上記バイパス機構（70）を流通状態に設定することを特徴とする給湯空調システムである。
【００１７】
上記第６の発明では、減圧器（50）における冷媒の圧力損失を回避することができるので、減圧器（50）の圧力損失に伴う圧縮機（31）の吐出圧力の上昇を回避することができる。
【００１８】
第７の発明は、上記第２〜第６の発明のいずれか１つにおいて、上記制御部が、上記冷房動作において空調運転効率よりも上記冷媒/水熱交換器（40）における熱交換を優先する場合であって、上記室内熱交換器（32）の冷却能力が室内の冷房に必要となる冷却能力となっているが、該冷媒/水熱交換器（40）の加熱能力が不足している場合に、上記冷媒/水熱交換器（40）が凝縮器となり上記室外熱交換器（34）および上記室内熱交換器（32）が蒸発器となる冷凍サイクルを行うように上記冷媒回路（30）を制御することを特徴とする給湯空調システムである。
【００１９】
上記第７の発明では、冷媒回路（30）において室外熱交換器（34）が凝縮器となり室内熱交換器（32）が蒸発器となる冷凍サイクルが行われる場合よりも、冷媒回路（30）における冷媒の吸熱量を増加させることができる。
【００２０】
第８の発明は、上記第１〜第７の発明のいずれか１つにおいて、上記冷媒回路（30）が、上記圧縮機（31）から吐出された冷媒が上記冷媒/水熱交換器（40）と上記減圧器（50）と上記室内熱交換器（32）と上記室外熱交換器（34）とを順に通過するように冷媒を循環させる暖房動作を行うことを特徴とする給湯空調システムである。
【００２１】
上記第８の発明では、暖房動作において圧縮機（31）から吐出された冷媒は、減圧器（50）を通過して室内熱交換器（32）に流入する。すなわち、暖房動作において冷媒/水熱交換器（40）と室内熱交換器（32）との間に圧力差を生じさせることができる。これにより、冷媒/水熱交換器（40）における冷媒圧力（凝縮圧力）を室内熱交換器（32）における冷媒圧力よりも高くすることができるので、冷媒/水熱交換器（40）における冷媒温度（凝縮温度）を室内熱交換器（32）における冷媒温度よりも高くすることができる。
【００２２】
第９の発明は、上記第１〜第８の発明のいずれか１つにおいて、上記冷媒/水熱交換器（40）によって加熱された水を貯留する貯留タンク（21）をさらに備えていることを特徴とする給湯空調システムである。
【００２３】
上記第９の発明では、冷媒/水熱交換器（40）によって加熱された水が貯留タンク（21）に貯留される。
【発明の効果】
【００２４】
第１および第８の発明によれば、冷媒/水熱交換器（40）における冷媒温度（凝縮温度）を高くすることができるので、冷媒/水熱交換器（40）の加熱能力（冷媒の単位時間当たりの放熱量）を増加させることができる。これにより、冷媒/水熱交換器（40）における水の加熱不足を抑制することができる。
【００２５】
第２の発明によれば、減圧器（50）の減圧量を制御することにより、冷媒/水熱交換器（40）における冷媒温度を調節することができるので、冷媒/水熱交換器（40）の加熱能力を適切に制御することができる。
【００２６】
第３の発明によれば、冷媒/水熱交換器における冷媒温度（凝縮温度）を所望の冷媒温度に維持することができるので、冷媒/水熱交換器（40）の加熱能力の過不足を抑制することができる。
【００２７】
第４の発明によれば、冷媒/水熱交換器（40）の水出口温度を目標水温度に維持することができるので、冷媒/水熱交換器（40）から流出される水の温度を適切に制御することができる。
【００２８】
第５の発明によれば、減圧器（50）の圧力損失に伴う圧縮機（31）の吐出圧力の上昇量を最小にすることができるので、圧縮機（31）の吐出圧力の上昇を抑制することができ、その結果、空調運転効率の低下を抑制することができる。
【００２９】
第６の発明によれば、減圧器（50）の圧力損失に伴う圧縮機（31）の吐出圧力の上昇を回避することができるので、圧縮機（31）の吐出圧力の上昇を抑制することができ、その結果、空調運転効率の低下を抑制することができる。
【００３０】
第７の発明によれば、冷房動作において冷媒回路（30）における冷媒の吸熱量を増加させることができるので、冷媒/水熱交換器（40）の加熱能力を増加させることができる。
【００３１】
第９の発明によれば、冷媒/水熱交換器（40）によって加熱された水を貯留タンク（21）に貯留することにより、冷媒/水熱交換器（40）によって加熱された水を有効に利用することができる。
【図面の簡単な説明】
【００３２】
【図１】実施形態１による給湯空調システムの構成例を示す配管系統図。
【図２】実施形態１の冷房運転について説明するための配管系統図。
【図３】実施形態１の暖房運転について説明するための配管系統図。
【図４】実施形態１による給湯空調システムの変形例１を示す配管系統図。
【図５】実施形態１による給湯空調システムの変形例２を示す配管系統図。
【図６】実施形態１による給湯空調システムの変形例３を示す配管系統図。
【図７】実施形態２による給湯空調システムの構成例を示す配管系統図。
【図８】実施形態３による給湯空調システムの構成例を示す配管系統図。
【図９】実施形態４による給湯空調システムの構成例を示す配管系統図。
【発明を実施するための形態】
【００３３】
以下、この発明の実施の形態を図面を参照して詳しく説明する。なお、図中同一または相当部分には同一の符号を付しその説明は繰り返さない。
【００３４】
（実施形態１）
図１は、実施形態１による給湯空調システム（10）の構成例を示している。この給湯空調システム（10）は、給湯と室内の空調とを行うものであり、水回路（20）と、冷媒回路（30）と、冷媒/水熱交換器（40）と、減圧器（50）と、室内ファン（36）と、室外ファン（37）と、水出口温度センサ（61）と、冷媒圧力センサ（62）と、室内空気温度センサ（63）と、コントローラ（100）（制御部）とを備えている。
【００３５】
〔水回路〕
水回路（20）は、水が流れる回路である。この例では、水回路（20）は、貯留タンク（21）と、循環水管（22）と、循環ポンプ（23）と、加熱器（25）と、給水管（26）と、出水管（27）とを有している。
【００３６】
〈貯留タンク，循環水管，循環ポンプ〉
貯留タンク（21）は、水を貯留する。例えば、貯留タンク（21）は、円筒形のタンクであり、起立した状態で設置されている。また、貯留タンク（21）には、流出口と流入口と給水口と出水口とが設けられている。循環水管（22）は、その一端が貯留タンク（21）の流出口に接続され、その他端が貯留タンク（21）の流入口に接続されている。循環ポンプ（23）は、循環水管（22）に設けられて水を搬送する。また、循環ポンプ（23）は、その搬送量を調節可能に構成されている。このような構成により、循環ポンプ（23）が駆動すると、貯留タンク（21）の流出口から流出した水は、循環水管（22）を通過して貯留タンク（21）の流入口に流入する。また、循環ポンプ（23）の搬送量が多くなるほど、循環水管（22）を流れる水の流量（すなわち、循環量）が多くなる。一方、循環ポンプ（23）が停止すると、貯留タンク（21）と循環水管（22）とにおいて水が循環しなくなる。
【００３７】
〈加熱器，給水管，出水管〉
加熱器（25）は、水を加熱可能に構成されている。例えば、加熱器（25）は、電気ヒータやボイラーなどによって構成されている。給水管（26）は、外部から水が供給される水管である。この例では、給水管（26）は、その流入端が外部（例えば、水道栓などの給水源、図示を省略）に接続され、その流出端が貯留タンク（21）の給水口に接続されている。出水管（27）は、外部へ水を供給するための水管である。この例では、出水管（27）は、その流入端が貯留タンク（21）の出水口に接続され、その流出端が出水ノズル（27a）に接続されている。また、出水管（27）には、加熱器（25）が設けられている。すなわち、加熱器（25）は、出水管（27）を流れる水を加熱するように構成されている。このような構成により、外部から供給された水は、給水管（26）を通過して貯留タンク（21）に貯留され、貯留タンク（21）に貯留された水は、出水管（27）に設けられた加熱器（25）を通過して外部へ供給される。なお、加熱器（25）は、出水管（27）を流れる水の温度（この例では、貯留タンク（21）に貯留された水の温度）が予め定められた温度よりも低い場合に、出水管（27）を流れる水を加熱する。
【００３８】
〔冷媒回路〕
冷媒回路（30）は、冷媒が充填された閉回路であり、冷媒を循環させて冷凍サイクルを行う。また、冷媒回路（30）は、圧縮機（31）と、室内熱交換器（32）と、膨張機構（33）と、室外熱交換器（34）と、四方切換弁（35）とを有している。また、室内熱交換器（32）の近傍には、室内ファン（36）が設けられ、室外熱交換器（34）の近傍には、室外ファン（37）が設けられている。
【００３９】
〈室内ファン，室外ファン〉
室内ファン（36）は、室内熱交換器（32）へ室内空気を搬送し、室外ファン（37）は、室外熱交換器へ室外空気を搬送する。例えば、室内ファン（36）は、クロスフローファンによって構成され、室外ファン（37）は、プロペラファンによって構成されている。
【００４０】
〈圧縮機〉
圧縮機（31）は、吸入した冷媒を圧縮して吐出する。また、圧縮機（31）は、その回転数を調節可能に構成されている。例えば、圧縮機（31）は、圧縮機構と電動機とが一つのケーシングに収容された全密閉型圧縮機によって構成されている。なお、圧縮機構は、ローリングピストン型の流体機械であってもよいし、揺動ピストン型のロータリ式流体機械であってもよいし、スクロール型の流体機械であってもよいし、その他のタイプの流体機械であってもよい。
【００４１】
〈室内熱交換器〉
室内熱交換器（32）は、室内ファン（36）によって搬送された室内空気と冷媒とを熱交換させる。例えば、室内熱交換器（32）は、クロスフィン型の熱交換器によって構成されている。
【００４２】
〈膨張機構〉
膨張機構（33）は、冷媒を減圧可能に構成されている。この例では、膨張機構（33）は、膨張弁（EV0）によって構成されている。膨張弁（EV0）は、その開度を調節可能に構成されている。例えば、膨張弁（EV0）は、電子膨張弁によって構成されている。
【００４３】
〈室外熱交換器〉
室外熱交換器（34）は、室外ファン（37）によって搬送された室外空気と冷媒とを熱交換させる。例えば、室外熱交換器（34）は、クロスフィン型の熱交換器によって構成されている。
【００４４】
〈四方切換弁〉
四方切換弁（35）は、第１〜第４ポートを有する。また、四方切換弁（35）は、第１ポートと第４ポートとを連通させて第２ポートと第３ポートとを連通させる第１状態（図１の実線で示す状態）と、第１ポートと第３ポートとを連通させて第２ポートと第４ポートとを連通させる第２状態（図１の破線で示す状態）とに設定可能に構成されている。
【００４５】
〈冷媒管〉
また、冷媒回路（30）は、第１〜第５冷媒管（P1〜P5）を有している。第１冷媒管（P1）は、圧縮機（31）の吐出側と四方切換弁（35）の第１ポートとを接続している。第２冷媒管（P2）は、四方切換弁（35）の第３ポートと室内熱交換器（32）のガス側の端部とを接続している。第３冷媒管（P3）は、室内熱交換器（32）の液側の端部と室外熱交換器（34）の液側の端部とを接続している。第４冷媒管（P4）は、室外熱交換器（34）のガス側の端部と四方切換弁（35）の第４ポートとを接続している。第５冷媒管（P5）は、四方切換弁（35）の第２ポートと圧縮機（31）の吸入側とを接続している。また、第３冷媒管（P3）には、膨張機構（33）を構成する膨張弁（EV0）が設けられている。
【００４６】
〔冷媒/水熱交換器〕
冷媒/水熱交換器（40）は、冷媒回路（30）において圧縮機（31）の吐出側に接続されるとともに水回路（20）に接続され、圧縮機（31）から吐出された冷媒と水回路（20）の水とを熱交換させるように構成されている。この例では、冷媒/水熱交換器（40）は、冷媒回路（30）の第１冷媒管（P1）に直列に組み込まれた冷媒側通路（41）と、水回路（20）の循環水管（22）に直列に組み込まれた水側通路（42）とを有し、冷媒側通路（41）を流れる冷媒と水側通路（42）を流れる水とを熱交換させる。例えば、冷媒/水熱交換器（40）は、プレート式の熱交換器によって構成されている。
【００４７】
〔減圧器〕
減圧器（50）は、冷媒回路（30）において冷媒/水熱交換器（40）の下流側に接続され、冷媒/水熱交換器（40）から流出した冷媒を減圧可能に構成されている。この例では、減圧器（50）は、冷媒回路（30）の第１冷媒管（P1）において冷媒/水熱交換器（40）と四方切換弁（35）の第１ポートとの間に直列に組み込まれている。また、減圧器（50）は、その減圧量を調節可能に構成されている。例えば、減圧器（50）は、冷媒の流量を調整可能な流量調整弁によって構成されている。なお、流量調整弁は、その開度を調節して冷媒の流量を調整することにより、流量調整弁における冷媒の減圧量を調節することができる。
【００４８】
〔センサ〕
水出口温度センサ（61）は、冷媒/水熱交換器（40）の水出口温度を検知する。この例では、水出口温度センサ（61）は、冷媒／水熱交換器（40）の水側通路（42）の出口近傍に設置され、設置場所の水温度を冷媒/水熱交換器（40）の水出口温度として検知する。
【００４９】
冷媒圧力センサ（62）は、冷媒/水熱交換器（40）の冷媒圧力（凝縮圧力）を検知する。この例では、冷媒圧力センサ（62）は、圧縮機（31）の吐出側の近傍に設置され、設置場所の冷媒圧力を冷媒/水熱交換器（40）の冷媒圧力として検知する。
【００５０】
室内空気温度センサ（63）は、室内空気温度を検知する。この例では、室内空気温度センサ（63）は、室内熱交換器（32）の空気の流れ方向の上流側に設置され、設置場所の空気温度を室内空気温度として検知する。
【００５１】
〔コントローラ（制御部）〕
コントローラ（100）は、給湯空調システム（10）の運転動作を制御するものであり、冷媒回路（30）および水回路（20）の各部を制御する。具体的には、コントローラ（100）は、圧縮機（31）の回転数，膨張機構（33）の減圧量（この例では、膨張弁（EV0）の開度），四方切換弁（35）の状態，室内ファン（36）の駆動/停止，室外ファン（37）の駆動/停止，循環ポンプ（23）の搬送量，減圧器（50）の減圧量（例えば、減圧器（50）を構成する流量調整弁の開度）などを制御する。
【００５２】
〔運転動作〕
次に、図２および図３を参照して、実施形態１の給湯空調システム（10）による運転動作について説明する。この給湯空調システム（10）は、冷房運転（図２）と暖房運転（図３）とを行う。また、冷房運転では、第１および第２冷房制御が行われ、暖房運転では、第１および第２暖房制御が行われ、冷房運転および暖房運転において冷媒/水熱交換器（40）における熱交換（すなわち、給湯）が不要となる場合に、給湯停止制御が行われる。
【００５３】
〈冷房運転〉
図２に示すように、冷房運転では、冷媒回路（30）は、コントローラ（100）による制御に応答して、圧縮機（31）から吐出された冷媒が冷媒/水熱交換器（40）と減圧器（50）と室外熱交換器（34）と室内熱交換器（32）とを順に通過するように冷媒を循環させる冷房動作を行う。具体的には、四方切換弁（35）が第１状態に設定され、圧縮機（31）と室内ファン（36）と室外ファン（37）とが駆動状態に設定される。
【００５４】
また、コントローラ（100）は、室外熱交換器（34）が凝縮器となり室内熱交換器（32）が蒸発器となる冷凍サイクルを行うように冷媒回路（30）を制御する。具体的には、冷媒回路（30）では、室内熱交換器（32）の出口における冷媒の過熱度が予め定められた目標過熱度となるように膨張弁（EV0）の開度が調節される。
【００５５】
また、水回路（20）は、コントローラ（100）による制御に応答して、貯留タンク（21）から流出した水が冷媒/水熱交換器（40）を通過して貯留タンク（21）に流入するように水を循環させる水循環動作を行う。具体的には、水回路（20）では、循環ポンプ（23）が駆動状態に設定される。
【００５６】
冷媒回路（30）では、圧縮機（31）から吐出された冷媒は、冷媒/水熱交換器（40）の冷媒側通路（41）に流入し、冷媒/水熱交換器（40）の冷媒側通路（41）を通過する間に水側通路（42）を流れる水に放熱して凝縮する。冷媒/水熱交換器（40）の冷媒側通路（41）から流出した冷媒は、減圧器（50）と四方切換弁（35）とを順に通過して室外熱交換器（34）に流入し、室外熱交換器（34）を通過する間に室外空気に放熱して凝縮する。室外熱交換器（34）から流出した冷媒は、膨張弁（EV0）で減圧されて室内熱交換器（32）に流入し、室内熱交換器（32）を通過する間に室内空気から吸熱して蒸発する。これにより、室内空気が冷却される。室内熱交換器（32）から流出した冷媒は、四方切換弁（35）を通過して圧縮機（31）に吸入される。
【００５７】
一方、水回路（20）では、貯留タンク（21）から流出した水は、循環水管（22）を流れて冷媒/水熱交換器（40）の水側通路（42）に流入し、冷媒/水熱交換器（40）の水側通路（42）を通過する間に冷媒側通路（41）を流れる冷媒から温熱が付与されて加熱される。冷媒/水熱交換器（40）の水側通路（42）から流出した水は、循環水管（22）を流れて貯留タンク（21）に流入する。このように、貯留タンク（21）から流出した水は、冷媒/水熱交換器（40）で加熱されて貯留タンク（21）に貯留される。
【００５８】
〈第１冷房制御〉
第１冷房制御は、冷房運転において空調運転効率（すなわち、冷房効率、具体的には、成績係数（ＣＯＰ））よりも冷媒/水熱交換器（40）における熱交換（すなわち、給湯）が優先される場合に行われる。例えば、コントローラ（100）は、室内の冷房よりも給湯を優先することを示した指令信号を受信すると第１冷房制御を行う。
【００５９】
《水温度制御動作》
第１冷房制御では、コントローラ（100）は、水出口温度センサ（61）によって検知される冷媒/水熱交換器（40）の水出口温度を監視し、冷媒/水熱交換器（40）の水出口温度が予め定められた目標水温度となるように冷媒回路（30）の圧縮機（31）を制御する水温度制御動作を行う。例えば、冷媒/水熱交換器（40）の水出口温度が目標水温度よりも低い場合、コントローラ（100）は、圧縮機（31）の回転数を増加させる。これにより、冷媒回路（30）における冷媒循環量が増加して冷媒/水熱交換器（40）の加熱能力（冷媒の単位時間当たりの放熱量）が増加する。その結果、冷媒/水熱交換器（40）の水出口温度が上昇して目標水温度に近づく。一方、冷媒/水熱交換器（40）の水出口温度が目標水温度よりも高い場合、コントローラ（100）は、圧縮機（31）の回転数を減少させる。これにより、冷媒回路（30）における冷媒循環量が減少して冷媒/水熱交換器（40）の加熱能力が減少する。その結果、冷媒/水熱交換器（40）の水出口温度が低下して目標水温度に近づく。
【００６０】
《冷媒圧力制御動作》
また、第１冷房制御では、コントローラ（100）は、冷媒圧力センサ（62）によって検知される冷媒/水熱交換器（40）の冷媒圧力を監視し、冷媒/水熱交換器（40）の冷媒圧力が予め定められた目標冷媒圧力となるように減圧器（50）の減圧量を制御する冷媒圧力制御動作を行う。例えば、冷媒/水熱交換器（40）の冷媒圧力が目標冷媒圧力よりも低い場合、コントローラ（100）は、減圧器（50）の減圧量を増加させる（例えば、減圧器（50）を構成する流量調節弁の開度を小さくする）。これにより、冷媒/水熱交換器（40）における冷媒圧力（凝縮圧力）が上昇し、その結果、冷媒/水熱交換器（40）の冷媒圧力が上昇して目標冷媒圧力に近づく。一方、冷媒/水熱交換器（40）の冷媒圧力が目標冷媒圧力よりも高い場合、コントローラ（100）は、減圧器（50）の減圧量を減少させる（例えば、減圧器（50）を構成する流量調整弁の開度を大きくする）。これにより、冷媒/水熱交換器（40）における冷媒圧力（凝縮圧力）が低下し、その結果、冷媒/水熱交換器（40）の冷媒圧力が低下して目標冷媒圧力に近づく。
【００６１】
なお、目標冷媒圧力は、冷媒/水熱交換器（40）の水出口温度に対して予め定められた目標水温度に基づいて設定されていてもよい。具体的には、目標冷媒圧力は、冷媒/水熱交換器（40）の水出口温度が目標水温度（例えば、５０℃）となるときの冷媒/水熱交換器（40）の冷媒温度（凝縮温度、例えば、５５℃）に対応する冷媒/水熱交換器（40）の冷媒圧力（凝縮圧力）に設定されていてもよい。
【００６２】
《冷却能力制御動作》
また、第１冷房制御（すなわち、空調運転効率よりも冷媒/水熱交換器（40）における熱交換が優先される場合）において、室内熱交換器（32）の冷却能力（冷媒の単位時間当たりの吸熱量）が室内の冷房に必要となる冷却能力（必要冷却能力）となっているが、冷媒/水熱交換器（40）の加熱能力が不足している場合、コントローラ（100）は、冷媒/水熱交換器（40）が凝縮器となり室外熱交換器（34）および室内熱交換器（32）が蒸発器となる冷凍サイクルを行うように冷媒回路（30）を制御する冷却能力制御動作を行う。具体的には、冷媒回路（30）では、膨張弁（EV0）の開度が予め定められた開度（例えば、全開）に設定される。
【００６３】
例えば、コントローラ（100）は、第１冷房制御において室内空気温度が目標空気温度となっているが冷媒/水熱交換器（40）の水出口温度が目標水温度よりも低くなっている場合に、冷却能力制御動作を行う。この場合、冷媒回路（30）は、室外熱交換器（34）が凝縮器となり室内熱交換器（32）が蒸発器となる冷凍サイクルを終了して、冷媒/水熱交換器（40）が凝縮器となり室外熱交換器（34）および室内熱交換器（32）が蒸発器となる冷凍サイクルを開始する。
【００６４】
冷却能力制御動作が行われる場合、冷媒回路（30）では、圧縮機（31）から吐出された冷媒は、冷媒/水熱交換器（40）の冷媒側通路（41）に流入し、冷媒/水熱交換器（40）の冷媒側通路（41）を通過する間に水側通路（42）を流れる水に放熱して凝縮する。冷媒/水熱交換器（40）の冷媒側通路（41）から流出した冷媒は、減圧器（50）と四方切換弁（35）とを順に通過して室外熱交換器（34）に流入し、室外熱交換器（34）を通過する間に室外空気から吸熱して蒸発する。室外熱交換器（34）から流出した冷媒は、膨張弁（EV0）を通過して室内熱交換器（32）に流入し、室外熱交換器（34）を通過する間に室内空気から吸熱して蒸発する。これにより、室内空気が冷却される。室内熱交換器（32）から流出した冷媒は、四方切換弁（35）を通過して圧縮機（31）に吸入される。なお、冷却能力制御動作が行われる場合、水回路（20）は、水循環動作を行い、コントローラ（100）は、水温度制御動作と冷媒圧力制御動作とを行う。
【００６５】
〈第２冷房制御〉
第２冷房制御は、冷房運転において冷媒/水熱交換器（40）における熱交換（すなわち、給湯）よりも空調運転効率（すなわち、冷房効率）が優先される場合に行われる。例えば、コントローラ（100）は、給湯よりも室内の冷房を優先することを示した指令信号を受信すると第２冷房制御を行う。
【００６６】
《減圧緩和動作》
第２冷房制御では、コントローラ（100）は、減圧器（50）の減圧量を最小に設定する減圧緩和動作を行う。例えば、減圧器（50）を構成する流量調整弁の開度が全開に設定される。
【００６７】
《冷房温度制御動作》
また、第２冷房制御では、コントローラ（100）は、室内空気温度センサ（63）によって検知される室内空気温度を監視し、室内空気温度が予め定められた目標空気温度となるように冷媒回路（30）の圧縮機（31）を制御する冷房温度制御動作を行う。例えば、室内空気温度が目標空気温度よりも高い場合、コントローラ（100）は、圧縮機（31）の回転数を増加させる。これにより、冷媒回路（30）における冷媒循環量が増加して室内熱交換器（32）の冷却能力が増加する。その結果、室内空気温度が低下して目標空気温度に近づく。一方、室内空気温度が目標空気温度よりも低い場合、コントローラ（100）は、圧縮機（31）を停止させる。
【００６８】
〈暖房運転〉
図３に示すように、暖房運転では、冷媒回路（30）は、コントローラ（100）による制御に応答して、圧縮機（31）から吐出された冷媒が冷媒/水熱交換器（40）と減圧器（50）と室内熱交換器（32）と室外熱交換器（34）とを順に通過するように冷媒を循環させる暖房動作を行う。具体的には、四方切換弁（35）が第２状態に設定され、圧縮機（31）と室内ファン（36）と室外ファン（37）とが駆動状態に設定される。
【００６９】
また、コントローラ（100）は、室内熱交換器（32）が凝縮器となり室外熱交換器（34）が蒸発器となる冷凍サイクルを行うように冷媒回路（30）を制御する。具体的には、冷媒回路（30）では、室外熱交換器（34）の出口における冷媒の過熱度が予め定められた目標過熱度となるように膨張弁（EV0）の開度が調節される。
【００７０】
また、水回路（20）は、コントローラ（100）による制御に応答して、貯留タンク（21）から流出した水が冷媒/水熱交換器（40）を通過して貯留タンク（21）に流入するように水を循環させる水循環動作を行う。具体的には、水回路（20）では、循環ポンプ（23）が駆動状態に設定される。
【００７１】
冷媒回路（30）では、圧縮機（31）から吐出された冷媒は、冷媒/水熱交換器（40）の冷媒側通路（41）に流入し、冷媒/水熱交換器（40）の冷媒側通路（41）を通過する間に水側通路（42）を流れる水に放熱して凝縮する。冷媒/水熱交換器（40）の冷媒側通路（41）から流出した冷媒は、減圧器（50）と四方切換弁（35）とを順に通過して室外熱交換器（34）に流入し、室内熱交換器（32）を通過する間に室内空気に放熱して凝縮する。これにより、室内空気が加熱される。室内熱交換器（32）から流出した冷媒は、膨張弁（EV0）で減圧されて室外熱交換器（34）に流入し、室外熱交換器（34）を通過する間に室外空気から吸熱して蒸発する。室外熱交換器（34）から流出した冷媒は、四方切換弁（35）を通過して圧縮機（31）に吸入される。
【００７２】
一方、水回路（20）では、冷房運転と同様に、貯留タンク（21）から流出した水は、冷媒/水熱交換器（40）において冷媒から温熱が付与されて加熱された後に、貯留タンク（21）に流入する。このように、貯留タンク（21）から流出した水は、冷媒/水熱交換器（40）で加熱されて貯留タンク（21）に貯留される。
【００７３】
〈第１暖房制御〉
第１暖房制御は、暖房運転において空調運転効率（すなわち、暖房効率、具体的には、成績係数（ＣＯＰ））よりも冷媒/水熱交換器（40）における熱交換（すなわち、給湯）が優先される場合に行われる。例えば、コントローラ（100）は、室内の暖房よりも給湯を優先することを示した指令信号を受信すると第１暖房制御を行う。
【００７４】
《水温度制御動作，冷媒圧力制御動作》
第１暖房制御では、コントローラ（100）は、第１冷房制御と同様に、冷媒/水熱交換器（40）の水出口温度が目標水温度となるように冷媒回路（30）の圧縮機（31）を制御する水温度制御動作と、冷媒/水熱交換器（40）の冷媒圧力が目標冷媒圧力となるように減圧器（50）の減圧量を制御する冷媒圧力制御動作とを行う。
【００７５】
〈第２暖房制御〉
第２暖房制御は、暖房運転において冷媒/水熱交換器（40）における熱交換（すなわち、給湯）よりも空調運転効率（すなわち、暖房効率）が優先される場合に行われる。例えば、コントローラ（100）は、給湯よりも室内の暖房を優先することを示した指令信号を受信すると第２暖房制御を行う。
【００７６】
《減圧緩和動作》
第２暖房制御では、コントローラ（100）は、第２冷房制御と同様に、減圧器（50）の減圧量を最小に設定する減圧緩和動作を行う。
【００７７】
《暖房温度制御動作》
また、第２暖房制御では、コントローラ（100）は、室内空気温度センサ（63）によって検知される室内空気温度を監視し、室内空気温度が予め定められた目標空気温度となるように冷媒回路（30）の圧縮機（31）を制御する暖房温度制御動作を行う。例えば、室内空気温度が目標空気温度よりも低い場合、コントローラ（100）は、圧縮機（31）の回転数を増加させる。これにより、冷媒回路（30）における冷媒循環量が増加して室内熱交換器（32）の加熱能力が増加する。その結果、室内空気温度が上昇して目標空気温度に近づく。一方、室内空気温度が目標空気温度よりも高い場合、コントローラ（100）は、圧縮機（31）を停止させる。
【００７８】
《流量制御動作》
また、第２暖房制御（すなわち、暖房運転において冷媒/水熱交換器（40）における熱交換よりも空調運転効率が優先される場合）において、室内熱交換器（32）の加熱能力が不足している場合、コントローラ（100）は、冷媒/水熱交換器（40）を流れる水の流量が予め定められた通常流量よりも少なくなるように水回路（20）を制御する流量制御動作を行う。具体的には、水回路（20）では、予め定められた通常搬送量よりも少なくなるように循環ポンプ（23）の搬送量が調節される。
【００７９】
例えば、コントローラ（100）は、第２暖房制御において室内熱交換器（32）の加熱能力が最大となっている場合（具体的には、圧縮機（31）の回転数が最大となっている場合）に、室内熱交換器（32）の加熱能力が予め定められた必要加熱能力（室内の暖房のために必要となる加熱能力）よりも少ないときに、流量制御動作を行う。
【００８０】
流量制御動作が行われる場合、水回路（20）では、冷媒/水熱交換器（40）を通過する水の流量は、通常流量から通常流量よりも少ない流量へと変化する。なお、流量制御動作が行われる場合、冷媒回路（30）は、室内熱交換器（32）が凝縮器となり室外熱交換器（34）が蒸発器となる冷凍サイクルを行い、コントローラ（100）は、減圧緩和動作と暖房温度制御動作とを行う。
【００８１】
〈給湯停止制御〉
給湯停止制御では、水回路（20）は、コントローラ（100）による制御に応答して、貯留タンク（21）と冷媒/水熱交換器（40）とにおいて水を循環させない水停止動作を行う。具体的には、水回路（20）では、循環ポンプ（23）が停止状態に設定される。例えば、コントローラ（100）は、貯留タンク（21）内の水の温度（貯留水温度）が予め定められた目標給湯温度よりも高い場合に、水循環動作を終了して水停止動作を行うように水回路（20）を制御する。なお、貯留水温度は、貯留タンク（21）に設けられた水温度センサ（図示を省略）によって検知された水温度であってもよい。
【００８２】
なお、冷房運転において給湯停止制御が行われる場合、コントローラ（100）は、室外熱交換器（34）が凝縮器となり室内熱交換器（32）が蒸発器となる冷凍サイクルを行うように冷媒回路（30）を制御するとともに、減圧緩和動作と冷房温度制御動作とを行う。
【００８３】
また、暖房運転において給湯停止制御が行われる場合、コントローラ（100）は、室内熱交換器（32）が凝縮器となり室外熱交換器（34）が蒸発器となる冷凍サイクルを行うように冷媒回路（30）を制御するとともに、減圧緩和動作と暖房温度制御動作とを行う。
【００８４】
〔実施形態１による効果〕
以上のように、冷媒回路（30）において冷媒/水熱交換器（40）の下流側に減圧器（50）が接続されているので、冷房運転では、圧縮機（31）から吐出された冷媒は、減圧器（50）を通過して室外熱交換器（34）に流入する。すなわち、冷房運転において冷媒/水熱交換器（40）と室外熱交換器（34）との間に圧力差を生じさせることができる。これにより、冷媒/水熱交換器（40）における冷媒圧力（凝縮圧力）を室外熱交換器（34）における冷媒圧力よりも高くすることができるので、冷媒/水熱交換器（40）における冷媒温度（凝縮温度）を室外熱交換器（34）における冷媒温度よりも高くすることができる。
【００８５】
また、冷媒回路（30）において冷媒/水熱交換器（40）の下流側に減圧器（50）が接続されているので、暖房運転では、圧縮機（31）から吐出された冷媒は、減圧器（50）を通過して室内熱交換器（32）に流入する。すなわち、暖房運転において冷媒/水熱交換器（40）と室内熱交換器（32）との間に圧力差を生じさせることができる。これにより、冷媒/水熱交換器（40）における冷媒圧力（凝縮圧力）を室内熱交換器（32）における冷媒圧力よりも高くすることができるので、冷媒/水熱交換器（40）における冷媒温度（凝縮温度）を室内熱交換器（32）における冷媒温度よりも高くすることができる。
【００８６】
このように、冷媒/水熱交換器（40）における冷媒温度（凝縮温度）を高くすることができるので、冷媒/水熱交換器（40）の加熱能力（冷媒の単位時間当たりの放熱量）を増加させることができる。これにより、冷媒/水熱交換器（40）における水の加熱不足を抑制することができる。
【００８７】
また、冷房運転において減圧器（50）の減圧量を制御することにより、冷房運転において冷媒/水熱交換器（40）と室外熱交換器（34）との間の圧力差を調節することができるので、冷房運転において冷媒/水熱交換器（40）における冷媒温度（凝縮温度）を調節することができる。また、暖房運転において減圧器（50）の減圧量を制御することにより、暖房運転において冷媒/水熱交換器（40）と室内熱交換器（32）との間の圧力差を調節することができるので、暖房運転において冷媒/水熱交換器（40）における冷媒温度（凝縮温度）を調節することができる。このように、減圧器（50）の減圧量を制御することにより、冷媒/水熱交換器（40）における冷媒温度（凝縮温度）を調節することができるので、冷媒/水熱交換器（40）の加熱能力を適切に制御することができる。
【００８８】
〈冷媒圧力制御動作による効果〉
また、冷房運転および暖房運転において、空調運転効率よりも冷媒/水熱交換器（40）による熱交換（すなわち、給湯）を優先する場合に、コントローラ（100）は、冷媒/水熱交換器（40）の冷媒圧力が目標冷媒圧力となるように減圧器（50）の減圧量を制御する冷媒圧力制御動作を行う。このように冷媒圧力制御動作を行うことにより、冷媒/水熱交換器における冷媒温度（凝縮温度）を所望の冷媒温度に維持することができる。これにより、冷媒/水熱交換器（40）の加熱能力の過不足を抑制することができる。
【００８９】
なお、冷媒/水熱交換器（40）の水出口温度は、冷媒/水熱交換器（40）の冷媒温度（凝縮温度）に依存し、冷媒/水熱交換器（40）の冷媒温度は、冷媒/水熱交換器（40）の冷媒圧力（凝縮圧力）に依存している。例えば、減圧器（50）の減圧量が増加して冷媒/水熱交換器（40）の冷媒圧力が上昇すると、冷媒/水熱交換器（40）の冷媒温度が上昇して冷媒/水熱交換器（40）の水出口温度が上昇する。したがって、冷媒/水熱交換器（40）の冷媒圧力に対する目標冷媒圧力を、冷媒/水熱交換器（40）の水出口温度に対する目標水温度に基づいて設定する（例えば、冷媒/水熱交換器（40）の水出口温度が目標水温度となるときの冷媒/水熱交換器（40）の冷媒圧力に設定する）ことにより、冷媒/水熱交換器（40）の水出口温度を目標水温度に維持することができる。これにより、冷媒/水熱交換器（40）から流出される水の温度を適切に制御することができる。
【００９０】
〈減圧緩和動作による効果〉
また、冷房運転および暖房運転において、冷媒/水熱交換器（40）による熱交換（すなわち、給湯）よりも空調運転効率を優先する場合に、コントローラ（100）は、減圧器（50）の減圧量を最小に設定する減圧緩和動作を行う。このように減圧緩和動作を行うことにより、減圧器（50）における冷媒の圧力損失を最小にすることができる。これにより、減圧器（50）の圧力損失に伴う圧縮機（31）の吐出圧力の上昇量を最小にすることができるので、圧縮機（31）の吐出圧力の上昇を抑制することができ、その結果、空調運転効率の低下を抑制することができる。
【００９１】
さらに、暖房運転において減圧緩和動作を行う場合、冷媒/水熱交換器（40）における冷媒の放熱量を最小にすることができるので、室内熱交換器（32）の加熱能力を向上させることができる。
【００９２】
〈冷却能力制御動作による効果〉
また、冷房運転において、空調運転効率よりも冷媒/水熱交換器（40）による熱交換（すなわち、給湯）を優先する場合であって、室内熱交換器（32）の冷却能力が室内の冷房に必要となる冷却能力となっているが、冷媒/水熱交換器（40）の加熱能力が不足している場合に、コントローラ（100）は、冷媒/水熱交換器（40）が凝縮器となり室外熱交換器（34）および室内熱交換器（32）が蒸発器となる冷凍サイクルを行うように冷媒回路（30）を制御する冷却能力制御動作を行う。このように冷却能力制御動作を行うことにより、冷媒回路（30）において室外熱交換器（34）が凝縮器となり室内熱交換器（32）が蒸発器となる冷凍サイクルが行われる場合よりも、冷媒回路（30）における冷媒の吸熱量を増加させることができる。これにより、冷媒/水熱交換器（40）の加熱能力を増加させることができる。
【００９３】
〈流量制御動作による効果〉
また、暖房運転において、冷媒/水熱交換器（40）による熱交換（すなわち、給湯）よりも空調運転効率を優先する場合に、コントローラ（100）は、冷媒/水熱交換器（40）を流れる水の流量が通常流量よりも少なくなるように水回路（20）を制御する流量制御動作を行う。このように流量制御動作を行うことにより、冷媒/水熱交換器（40）における冷媒の放熱量を低下させることができる。これにより、暖房運転において、室内熱交換器（32）における冷媒の放熱量を確保することができるので、室内熱交換器（32）の加熱能力の不足による暖房効率の低下を抑制することができる。
【００９４】
〈貯留タンクによる効果〉
また、冷媒/水熱交換器（40）によって加熱された水を貯留タンク（21）に貯留することにより、冷媒/水熱交換器（40）によって加熱された水を有効に利用することができる。これにより、加熱器（25）の加熱に要するエネルギ消費量（例えば、消費電力量）を低減することができる。
【００９５】
（実施形態１の変形例１）
図４に示すように、冷媒回路（30）は、図１に示した構成に加えて、バイパス機構（70）をさらに有していてもよい。その他の構成は、図１に示した構成と同様である。
【００９６】
〔バイパス機構〕
バイパス機構（70）は、冷媒/水熱交換器（40）と減圧器（50）とを迂回して圧縮機（31）の吐出側と減圧器（50）の下流側とを接続する。また、バイパス機構（70）は、冷媒/水熱交換器（40）と減圧器（50）とを迂回して圧縮機（31）の吐出側と減圧器（50）の下流側とを接続する。そして、バイパス機構（70）は、圧縮機（31）の吐出側から減圧器（50）の下流側への冷媒の流通を許容する流通状態と、圧縮機（31）の吐出側から減圧器（50）の下流側への冷媒の流通を遮断する遮断状態とに設定可能に構成されている。
【００９７】
この例では、バイパス機構（70）は、バイパス冷媒管（71）と開閉弁（72）とによって構成されている。バイパス冷媒管（71）は、その一端が冷媒回路（30）の第１冷媒管（P1）において圧縮機（31）と冷媒/水熱交換器（40）との間に接続され、その他端が冷媒回路（30）の第１冷媒管（P1）において減圧器（50）と四方切換弁（35）との間に接続されている。開閉弁（72）は、バイパス冷媒管（71）に設けられ、コントローラ（100）による制御に応答して、開状態と閉状態とに設定可能に構成されている。このような構成により、開閉弁（72）が開状態に設定されると、バイパス冷媒管（71）における冷媒の流通（すなわち、圧縮機（31）の吐出側から減圧器（50）の下流側への冷媒の流通）が許容される。一方、開閉弁（72）が閉状態に設定されると、バイパス冷媒管（71）における冷媒の流通が遮断される。
【００９８】
〔コントローラ〕
コントローラ（100）は、空調運転効率よりも冷媒/水熱交換器（40）における熱交換を優先する場合（すなわち、第１冷房制御および第１暖房制御）において、バイパス機構（70）を遮断状態に設定する減圧有効動作を行う。具体的には、バイパス機構（70）では、開閉弁（72）が閉状態に設定される。
【００９９】
一方、コントローラ（100）は、冷媒/水熱交換器（40）における熱交換よりも空調運転効率を優先する場合（すなわち、第２冷房制御および第２暖房制御）において、減圧器（50）の減圧量を最大に設定するとともにバイパス機構（70）を流通状態に設定する。具体的には、減圧器（50）を構成する流量調整弁の開度が全開に設定され、バイパス機構（70）では、開閉弁（72）が開状態に設定される。すなわち、この例では、コントローラ（100）は、減圧器（50）の減圧量を最小に設定する減圧緩和動作に代えて、減圧器（50）の減圧量を最大に設定するとともにバイパス機構（70）を流通状態に設定する減圧迂回動作を行う。
【０１００】
〔実施形態１の変形例１による効果〕
以上のように、冷房運転および暖房運転において、冷媒/水熱交換器（40）による熱交換（すなわち、給湯）よりも空調運転効率を優先する場合に、コントローラ（100）は、減圧器（50）の減圧量を最大に設定するとともにバイパス機構（70）を流通状態に設定する減圧迂回動作を行う。このように減圧迂回動作を行うことにより、減圧器（50）における冷媒の圧力損失を回避することができる。これにより、減圧器（50）の圧力損失に伴う圧縮機（31）の吐出圧力の上昇を回避することができるので、圧縮機（31）の吐出圧力の上昇を抑制することができ、その結果、空調運転効率の低下を抑制することができる。
【０１０１】
さらに、暖房運転において減圧迂回動作を行う場合、冷媒/水熱交換器（40）における冷媒の放熱を回避することができるので、室内熱交換器（32）の加熱能力を向上させることができる。
【０１０２】
（実施形態１の変形例２）
図５に示すように、加熱器（25）は、貯留タンク（21）に設けられて貯留タンク（21）に貯留された水を直接的に加熱するように構成されていてもよい。例えば、加熱器（25）は、貯留タンク（21）と一体に形成されてボイラタンクを構成していてもよい。その他の構成は、図１に示した構成と同様である。
【０１０３】
（実施形態１の変形例３）
図６に示すように、水回路（20）は、循環水管（22）と循環ポンプ（23）とを有していなくてもよい。この場合、冷媒/水熱交換器（40）は、冷媒回路（30）の第１冷媒管（P1）に直列に組み込まれて貯留タンク（21）に設けられた冷媒側通路（例えば、貯留タンク（21）に螺旋状に巻回された冷媒管）を有し、冷媒側通路を流れる冷媒と貯留タンク（21）に貯留された水とを熱交換させるように構成されていてもよい。また、水出口温度センサ（61）は、貯留タンク（21）の出水口の近傍に設けられていてもよい。その他の構成は、図１に示した構成と同様である。
【０１０４】
（実施形態２）
図７は、実施形態２による給湯空調システム（10）の構成例を示している。実施形態２の給湯空調システム（10）は、図１に示した構成に加えて、補助熱交換器（80）をさらに備えている。その他の構成は、図１に示した構成と同様である。
【０１０５】
〔補助熱交換器〕
補助熱交換器（80）は、冷媒回路（30）において室内熱交換器（32）と室外熱交換器（34）との間に接続されるとともに、水回路（20）において冷媒/水熱交換器（40）の上流側に接続され、冷媒回路（30）を流れる冷媒と水回路（20）を流れる水とを熱交換させるように構成されている。この例では、補助熱交換器（80）は、冷媒回路（30）の第３冷媒管（P3）に直列に組み込まれた冷媒側通路（81）と、水回路（20）の循環水管（22）において冷媒/水熱交換器（40）の上流側に直列に組み込まれた水側通路（82）とを有し、冷媒側通路（81）を流れる冷媒と水側通路（82）を流れる水とを熱交換させる。例えば、補助熱交換器（80）は、プレート式の熱交換器によって構成されている。
【０１０６】
〔冷媒回路〕
実施形態２では、冷媒回路（30）の膨張機構（33）は、第１膨張弁（EV1）と第２膨張弁（EV2）とによって構成されている。第１膨張弁（EV1）は、冷媒回路（30）の第３冷媒管（P3）において室内熱交換器（32）と補助熱交換器（80）との間に設けられ、第２膨張弁（EV2）は、冷媒回路（30）の第３冷媒管（P3）において室外熱交換器（34）と補助熱交換器（80）とを間に設けられている。第１膨張弁（EV1）および第２膨張弁（EV2）は、その開度を調節可能に構成されている。例えば、第１膨張弁（EV1）および第２膨張弁（EV2）は、電子膨張弁によって構成されている。
【０１０７】
〔運転動作〕
実施形態２の給湯空調システム（10）は、実施形態１と同様に、冷房運転と暖房運転とを行う。また、実施形態１と同様に、冷房運転では、第１および第２冷房制御が行われ、暖房運転では、第１および第２暖房制御が行われ、冷房運転および暖房運転において冷媒/水熱交換器（40）における熱交換（すなわち、給湯）が不要となる場合に、給湯停止制御が行われる。なお、実施形態２では、冷媒回路（30）および水回路（20）の動作が実施形態１と異なっている。
【０１０８】
〈冷房運転〉
実施形態２の冷房運転では、冷媒回路（30）は、コントローラ（100）による制御に応答して、圧縮機（31）から吐出された冷媒が冷媒/水熱交換器（40）と減圧器（50）と室外熱交換器（34）と補助熱交換器（80）と室内熱交換器（32）とを順に通過するように冷媒を循環させる冷房動作を行う。具体的には、冷媒回路（30）では、四方切換弁（35）が第１状態に設定され、圧縮機（31）と室内ファン（36）と室外ファン（37）とが駆動状態に設定される。
【０１０９】
また、コントローラ（100）は、室外熱交換器（34）が凝縮器となり補助熱交換器（80）が過冷却器となり室内熱交換器（32）が蒸発器となる冷凍サイクルを行うように冷媒回路（30）を制御する。具体的には、冷媒回路（30）では、第２膨張弁（EV2）の開度が全開に設定され、室内熱交換器（32）の出口における冷媒の過熱度が予め定められた目標過熱度となるように第１膨張弁（EV1）の開度が調節される。
【０１１０】
また、水回路（20）は、コントローラ（100）による制御に応答して、貯留タンク（21）から流出した水が補助熱交換器（80）と冷媒/水熱交換器（40）とを順に通過して貯留タンク（21）に流入するように水を循環させる水循環動作を行う。具体的には、水回路（20）では、循環ポンプ（23）が駆動状態に設定される。
【０１１１】
冷媒回路（30）では、圧縮機（31）から吐出された冷媒は、冷媒/水熱交換器（40）の冷媒側通路（41）に流入し、冷媒/水熱交換器（40）の冷媒側通路（41）を通過する間に水側通路（42）を流れる水に放熱して凝縮する。冷媒/水熱交換器（40）の冷媒側通路（41）から流出した冷媒は、減圧器（50）と四方切換弁（35）とを順に通過して室外熱交換器（34）に流入し、室外熱交換器（34）を通過する間に室外空気に放熱して凝縮する。室外熱交換器（34）から流出した冷媒は、全開に設定された第２膨張弁（EV2）を通過した後に補助熱交換器（80）の冷媒側通路（81）に流入し、補助熱交換器（80）の冷媒側通路（81）を通過する間に水側通路（82）を流れる水に放熱して過冷却される。補助熱交換器（80）の冷媒側通路（81）から流出した冷媒は、第１膨張弁（EV1）で減圧されて室内熱交換器（32）に流入し、室内熱交換器（32）を通過する間に室内空気から吸熱して蒸発する。これにより、室内空気が冷却される。室内熱交換器（32）から流出した冷媒は、四方切換弁（35）を通過して圧縮機（31）に吸入される。
【０１１２】
一方、水回路（20）では、貯留タンク（21）から流出した水は、循環水管（22）を流れて補助熱交換器（80）の水側通路（82）に流入し、補助熱交換器（80）の水側通路（82）を通過する間に冷媒側通路（81）を流れる冷媒から温熱が付与されて加熱される。補助熱交換器（80）の水側通路（82）から流出した水は、循環水管（22）を流れて冷媒/水熱交換器（40）の水側通路（42）に流入し、冷媒/水熱交換器（40）の水側通路（42）を通過する間に冷媒側通路（41）を流れる冷媒から温熱が付与されて加熱される。冷媒/水熱交換器（40）の水側通路（42）から流出した水は、循環水管（22）を流れて貯留タンク（21）に流入する。このように、貯留タンク（21）から流出した水は、補助熱交換器（80）と冷媒/水熱交換器（40）で加熱されて貯留タンク（21）に貯留される。
【０１１３】
〈暖房運転〉
実施形態２の暖房運転では、冷媒回路（30）は、コントローラ（100）による制御に応答して、圧縮機（31）から吐出された冷媒が冷媒/水熱交換器（40）と減圧器（50）と室内熱交換器（32）と補助熱交換器（80）と室外熱交換器（34）とを順に通過するように冷媒を循環させる暖房動作を行う。具体的には、冷媒回路（30）では、四方切換弁（35）が第２状態に設定され、圧縮機（31）と室内ファン（36）と室外ファン（37）とが駆動状態に設定される。
【０１１４】
また、コントローラ（100）は、室内熱交換器（32）が凝縮器となり補助熱交換器（80）が過冷却器となり室外熱交換器（34）が蒸発器となる冷凍サイクルを行うように冷媒回路（30）を制御する。具体的には、冷媒回路（30）では、第１膨張弁（EV1）の開度が全開に設定され、室外熱交換器（34）の出口における冷媒の過熱度が予め定められた目標過熱度となるように第２膨張弁（EV2）の開度が調節される。
【０１１５】
また、水回路（20）は、コントローラ（100）による制御に応答して、貯留タンク（21）から流出した水が補助熱交換器（80）と冷媒/水熱交換器（40）とを順に通過して貯留タンク（21）に流入するように水を循環させる水循環動作を行う。具体的には、水回路（20）では、循環ポンプ（23）が駆動状態に設定される。
【０１１６】
冷媒回路（30）では、圧縮機（31）から吐出された冷媒は、冷媒/水熱交換器（40）の冷媒側通路（41）に流入し、冷媒/水熱交換器（40）の冷媒側通路（41）を通過する間に水側通路（42）を流れる水に放熱して凝縮する。冷媒/水熱交換器（40）の冷媒側通路（41）から流出した冷媒は、減圧器（50）と四方切換弁（35）とを順に通過して室内熱交換器（32）に流入し、室内熱交換器（32）を通過する間に室内空気に放熱して凝縮する。これにより、室内空気が加熱される。室内熱交換器（32）から流出した冷媒は、全開に設定された第１膨張弁（EV1）を通過した後に補助熱交換器（80）の冷媒側通路（81）に流入し、補助熱交換器（80）の冷媒側通路（81）を通過する間に水側通路（82）を流れる水に放熱して過冷却される。補助熱交換器（80）の冷媒側通路（81）から流出した冷媒は、第２膨張弁（EV2）で減圧されて室外熱交換器（34）に流入し、室外熱交換器（34）を通過する間に室外空気から吸熱して蒸発する。室外熱交換器（34）から流出した冷媒は、四方切換弁（35）を通過して圧縮機（31）に吸入される。
【０１１７】
一方、水回路（20）では、貯留タンク（21）から流出した水は、循環水管（22）を流れて補助熱交換器（80）の水側通路（82）に流入し、補助熱交換器（80）の水側通路（82）を通過する間に冷媒側通路（81）を流れる冷媒から温熱が付与されて加熱される。補助熱交換器（80）の水側通路（82）から流出した水は、循環水管（22）を流れて冷媒/水熱交換器（40）の水側通路（42）に流入し、冷媒/水熱交換器（40）の水側通路（42）を通過する間に冷媒側通路（41）を流れる冷媒から温熱が付与されて加熱される。冷媒/水熱交換器（40）の水側通路（42）から流出した水は、循環水管（22）を流れて貯留タンク（21）に流入する。このように、貯留タンク（21）から流出した水は、補助熱交換器（80）と冷媒/水熱交換器（40）で加熱されて貯留タンク（21）に貯留される。
【０１１８】
〈第２暖房制御〉
また、実施形態２の第２暖房制御において、室内熱交換器（32）の加熱能力が不足している場合、コントローラ（100）は、補助熱交換器（80）および冷媒/水熱交換器（40）を流れる水の流量が通常流量よりも少なくなるように水回路（20）を制御する流量制御動作を行う。具体的には、水回路（20）では、通常搬送量よりも少なくなるように循環ポンプ（23）の搬送量が調節される。
【０１１９】
〈給湯停止制御〉
また、実施形態２の給湯停止制御では、水回路（20）は、コントローラ（100）による制御に応答して、貯留タンク（21）と冷媒/水熱交換器（40）と補助熱交換器（80）とにおいて水を循環させない水停止動作を行う。具体的には、水回路（20）では、循環ポンプ（23）が停止状態に設定される。
【０１２０】
〔実施形態２による効果〕
以上のように構成した場合も、実施形態１と同様の効果を得ることができる。また、冷房運転および暖房運転において、補助熱交換器（80）を過冷却器として利用することにより、給湯空調システム（10）の空調運転効率（具体的には、成績係数（ＣＯＰ））を向上させることができるとともに、水回路（20）における水の加熱量を増加させることができる。
【０１２１】
（実施形態３）
図８は、実施形態３による給湯空調システム（10）の構成例を示している。実施形態３の給湯空調システム（10）では、水回路（20）は、図１に示した貯留タンク（21）と循環水管（22）と循環ポンプ（23）とに代えて、送水管（28a）を有する水配管機構（28）を有している。すなわち、実施形態３の水回路（20）は、貯留タンク（21）を有していない。その他の構成は、図１に示した構成と同様である。
【０１２２】
〔水配管機構〕
水配管機構（28）は、給水管（26）から流出した水が送水管（28a）を通過して出水管（27）に流入する第１状態と、給水管（26）から流出した水が送水管（28a）を迂回して出水管（27）に流入する第２状態とに設定可能に構成されている。この例では、水配管機構（28）は、送水管（28a）の他に、バイパス水管（28b）と三方弁（28c）とを有している。
【０１２３】
水配管機構（28）では、送水管（28a）は、その一端が三方弁（28c）を介して給水管（26）の流出端に接続され、その他端が出水管（27）の流入端に接続されている。バイパス水管（28b）は、その一端が三方弁（28c）に接続され、その他端が出水管（27）の流入端に接続されている。三方弁（28c）は、コントローラ（100）による制御に応答して、給水管（26）と送水管（28a）とを連通させてバイパス水管（28b）への水の流入を遮断する第１状態と、給水管（26）とバイパス水管（28b）とを連通させて送水管（28a）への水の流入を遮断する第２状態とに設定可能に構成されている。このような構成により、三方弁（28c）が第１状態に設定されると、給水管（26）から流出した水が送水管（28a）を通過して出水管（27）に流入する。一方、三方弁（28c）が第２状態に設定されると、給水管（26）から流出した水が送水管（28a）を迂回して出水管（27）に流入する。
【０１２４】
〔冷媒/水熱交換器〕
実施形態３では、冷媒/水熱交換器（40）は、水回路（20）において水配管機構（28）の送水管（28a）に接続され、圧縮機（31）から吐出された冷媒と送水管（28a）を流れる水とを熱交換させる。この例では、冷媒/水熱交換器（40）の水側通路（42）は、送水管（28a）に直列に組み込まれている。
【０１２５】
〔運転動作〕
実施形態３の給湯空調システム（10）は、実施形態１と同様に、冷房運転と暖房運転とを行う。また、実施形態１と同様に、冷房運転では、第１および第２冷房制御が行われ、暖房運転では、第１および第２暖房制御が行われる。なお、実施形態３では、水回路（20）の動作が実施形態１と異なっている。また、実施形態３では、冷房運転および暖房運転において冷媒/水熱交換器（40）における熱交換（すなわち、給湯）が不要となる場合に、給湯迂回制御が行われる。
【０１２６】
〈水供給動作〉
実施形態３の冷房運転および暖房運転では、水回路（20）は、コントローラ（100）による制御に応答して水供給動作を行う。水供給動作では、水回路（20）は、外部から供給された水が冷媒/水熱交換器（40）と加熱器（25）とを順に通過して外部へ供給されるように水を流通させる。具体的には、水回路（20）では、水配管機構（28）が第１状態に設定される。すなわち、水配管機構（28）の三方弁（28c）が第１状態に設定される。
【０１２７】
この場合、水回路（20）では、給水管（26）に供給された水は、三方弁（28c）と送水管（28a）とを順に流れて冷媒/水熱交換器（40）の水側通路（42）に流入し、冷媒/水熱交換器（40）の水側通路（42）を通過する間に冷媒側通路（41）を流れる水から温熱が付与されて加熱される。冷媒/水熱交換器（40）の水側通路（42）から流出した水は、送水管（28a）と出水管（27）とを順に流れて加熱器（25）に流入し、加熱器（25）で加熱される。加熱器（25）で加熱された水は、出水管（27）を流れて出水ノズル（27a）から外部へ供給される。このように、給水管（26）に供給された水は、冷媒/水熱交換器（40）と加熱器（25）で加熱されて外部へ供給される。
【０１２８】
〈水迂回動作〉
また、実施形態３の給湯迂回制御では、水回路（20）は、コントローラ（100）による制御に応答して水迂回動作を行う。水迂回動作では、水回路（20）は、外部から供給された水が冷媒/水熱交換器（40）を迂回した後に加熱器（25）と通過して外部へ供給されるように水を流通させる。具体的には、水回路（20）では、水配管機構（28）が第２状態に設定される。すなわち、水配管機構（28）の三方弁（28c）が第２状態に設定される。
【０１２９】
この場合、水回路（20）では、給水管（26）に供給された水は、三方弁（28c）とバイパス水管（28b）と出水管（27）とを順に流れて加熱器（25）に流入し、加熱器（25）で加熱される。加熱器（25）で加熱された水は、出水管（27）を流れて出水ノズル（27a）から外部へ供給される。このように、給水管（26）に供給された水は、加熱器（25）で加熱されて外部へ供給される。
【０１３０】
なお、冷房運転において給湯迂回制御が行われる場合、コントローラ（100）は、室外熱交換器（34）が凝縮器となり室内熱交換器（32）が蒸発器となる冷凍サイクルを行うように冷媒回路（30）を制御するとともに、減圧緩和動作と冷房温度制御動作とを行う。
【０１３１】
また、暖房運転において給湯迂回制御が行われる場合、コントローラ（100）は、室内熱交換器（32）が凝縮器となり室外熱交換器（34）が蒸発器となる冷凍サイクルを行うように冷媒回路（30）を制御するとともに、減圧緩和動作と暖房温度制御動作とを行う。
【０１３２】
〔実施形態３による効果〕
以上のように構成した場合も、実施形態１と同様の効果を得ることができる。また、貯留タンク（21）を利用することなく、冷房運転（室内の冷房と給湯）と暖房運転（室内の暖房と給湯）とを行うことができる。すなわち、貯留タンク（21）を省略することができるので、水回路（20）の設置スペースを低減することができる。
【０１３３】
（実施形態４）
図９は、実施形態４による給湯空調システム（10）の構成例を示している。実施形態４の給湯空調システム（10）は、図８に示した構成に加えて、補助熱交換器（80）をさらに備えている。また、実施形態４の水回路（20）では、水配管機構（28）は、送水管（28a）に代えて、第１送水管（28d）と第２送水管（28e）とを有している。その他の構成は、図８に示した構成と同様である。
【０１３４】
〔水配管機構〕
実施形態４では、水配管機構（28）は、給水管（26）から流出した水が第１送水管（28d）と第２送水管（28e）とを順に通過して出水管（27）に流入する第１状態と、給水管（26）から流出した水が第１送水管（28d）を通過した後に第２送水管（28e）を迂回して出水管（27）に流入する第２状態とに設定可能に構成されている。
【０１３５】
具体的には、実施形態４の水配管機構（28）では、第１送水管（28d）は、その一端が給水管（26）の流出端に接続され、その他端が三方弁（28c）に接続されている。第２送水管（28e）は、その一端が三方弁（28c）に接続され、その他端が出水管（27）の流入端に接続されている。バイパス水管（28b）は、その一端が三方弁（28c）に接続され、その他端が出水管（27）の流入端に接続されている。三方弁（28c）は、コントローラ（100）による制御に応答して、第１送水管（28d）と第２送水管（28e）とを連通させてバイパス水管（28b）への水の流入を遮断する第１状態と、第１送水管（28d）とバイパス水管（28b）とを連通させて第２送水管（28e）への水の流入を遮断する第２状態とに設定可能に構成されている。このような構成により、三方弁（28c）が第１状態に設定されると、給水管（26）から流出した水が第１送水管（28d）と第２送水管（28e）とを順に通過して出水管（27）に流入する。一方、三方弁（28c）が第２状態に設定されると、給水管（26）から流出した水が第１送水管（28d）を通過した後に第２送水管（28e）を迂回して出水管（27）に流入する。
【０１３６】
〔補助熱交換器〕
実施形態４では、補助熱交換器（80）は、冷媒回路（30）において室内熱交換器（32）と室外熱交換器（34）との間に接続されるとともに、水回路（20）において水配管機構（28）の第１送水管（28d）に接続され、冷媒回路（30）を流れる冷媒と第１送水管（28d）を流れる水とを熱交換させるように構成されている。この例では、補助熱交換器（80）は、冷媒回路（30）の第３冷媒管（P3）に直列に組み込まれた冷媒側通路（81）と、水回路（20）の第１送水管（28d）に直列に組み込まれた水側通路（82）とを有し、冷媒側通路（81）を流れる冷媒と水側通路（82）を流れる水とを熱交換させる。例えば、補助熱交換器（80）は、プレート式の熱交換器によって構成されている。
【０１３７】
〔冷媒/水熱交換器〕
実施形態４では、冷媒/水熱交換器（40）は、水回路（20）において水配管機構（28）の第２送水管（28e）に接続され、圧縮機（31）から吐出された冷媒と第２送水管（28e）を流れる水とを熱交換させるように構成されている。この例では、冷媒/水熱交換器（40）の水側通路（82）は、第２送水管（28e）に直列に組み込まれている。
【０１３８】
〔冷媒回路〕
実施形態４では、実施形態２と同様に、冷媒回路（30）の膨張機構（33）は、第１膨張弁（EV1）と第２膨張弁（EV2）とによって構成されている。第１膨張弁（EV1）は、冷媒回路（30）の第３冷媒管（P3）において室内熱交換器（32）と補助熱交換器（80）との間に設けられ、第２膨張弁（EV2）は、冷媒回路（30）の第３冷媒管（P3）において室外熱交換器（34）と補助熱交換器（80）とを間に設けられている。
【０１３９】
〔運転動作〕
実施形態４の給湯空調システム（10）は、実施形態３と同様に、冷房運転と暖房運転とを行う。また、実施形態３と同様に、冷房運転では、第１および第２冷房制御が行われ、暖房運転では、第１および第２暖房制御が行われ、冷房運転および暖房運転において冷媒/水熱交換器（40）における熱交換（すなわち、給湯）が不要となる場合に、給湯迂回制御が行われる。なお、実施形態４では、冷媒回路（30）および水回路（20）の動作が実施形態３と異なっている。ただし、冷媒回路（30）の動作は、実施形態２と同様となっている。すなわち、冷媒回路（30）は、冷房運転では、室外熱交換器（34）が凝縮器となり補助熱交換器（80）が過冷却器となり室内熱交換器（32）が蒸発器となる冷凍サイクルを行い、暖房運転では、室内熱交換器（32）が凝縮器となり補助熱交換器（80）が過冷却器となり室外熱交換器（34）が蒸発器となる冷凍サイクルを行う。
【０１４０】
〈第１水供給動作〉
実施形態４の冷房運転および暖房運転では、水回路（20）は、コントローラ（100）による制御に応答して第１水供給動作を行う。第１水供給動作では、水回路（20）は、外部から供給された水が補助熱交換器（80）と冷媒/水熱交換器（40）と加熱器（25）とを順に通過して外部へ供給されるように水を流通させる。具体的には、水回路（20）では、水配管機構（28）が第１状態に設定される。すなわち、水配管機構（28）の三方弁（28c）が第１状態に設定される。
【０１４１】
この場合、水回路（20）では、給水管（26）に供給された水は、第１送水管（28d）を流れて補助熱交換器（80）の水側通路（82）に流入し、補助熱交換器（80）の水側通路（82）を通過する間に冷媒側通路（81）を流れる水から温熱が付与されて加熱される。補助熱交換器（80）の水側通路（82）から流出した水は、第１送水管（28d）と三方弁（28c）と第２送水管（28e）とを順に流れて冷媒/水熱交換器（40）の水側通路（42）に流入し、冷媒/水熱交換器（40）の水側通路（42）を通過する間に冷媒側通路（41）を流れる冷媒から温熱が付与されて加熱される。冷媒/水熱交換器（40）の水側通路（42）から流出した水は、第２送水管（28e）と出水管（27）とを順に流れて加熱器（25）に流入し、加熱器（25）で加熱される。このように、給水管（26）に供給された水は、補助熱交換器（80）と冷媒/水熱交換器（40）と加熱器（25）で加熱されて外部へ供給される。
【０１４２】
〈第２水供給動作〉
また、実施形態４の給湯迂回制御では、コントローラ（100）は、第２水供給動作を行うように水回路（20）を制御する。第２水供給動作では、水回路（20）は、外部から供給された水が補助熱交換器（80）を通過して冷媒/水熱交換器（40）を迂回した後に加熱器（25）を通過して外部へ供給されるように水を流通させる。具体的には、水回路（20）では、水配管機構（28）が第２状態に設定される。すなわち、水配管機構（28）の三方弁（28c）が第２状態に設定される。
【０１４３】
この場合、水回路（20）では、給水管（26）に供給された水は、第１送水管（28d）を流れて補助熱交換器（80）の水側通路（82）に流入し、補助熱交換器（80）の水側通路（82）を通過する間に冷媒側通路（81）を流れる水から温熱が付与されて加熱される。補助熱交換器（80）の水側通路（82）から流出した水は、第１送水管（28d）と三方弁（28c）とバイパス水管（28b）と出水管（27）とを順に流れて加熱器（25）に流入し、加熱器（25）で加熱される。このように、給水管（26）に供給された水は、補助熱交換器（80）と加熱器（25）で加熱されて外部へ供給される。
【０１４４】
〔実施形態４による効果〕
以上のように構成した場合も、実施形態３と同様の効果を得ることができる。また、冷房運転および暖房運転において、補助熱交換器（80）を過冷却器として利用することにより、給湯空調システム（10）の空調運転効率（具体的には、成績係数（ＣＯＰ））を向上させることができるとともに、水回路（20）における水の加熱量を増加させることができる。
【０１４５】
（その他の実施形態）
以上の説明では、給湯空調システム（10）が冷房運転および暖房運転の両方を行う冷暖兼用機である場合を例に挙げたが、給湯空調システム（10）は、冷房運転のみを行う冷房専用機であってもよい。
【０１４６】
また、以上の実施形態を適宜組み合わせて実施してもよい。例えば、実施形態２，３，４の給湯空調システム（10）において、冷媒回路（30）は、図４に示したバイパス機構（70）をさらに有していてもよい。また、実施形態２の給湯空調システム（10）において、加熱器（25）は、図５に示すように貯留タンク（21）に設けられていてもよいし、図６に示すように、水回路（20）が循環水管（22）と循環ポンプ（23）とを有さずに冷媒/水熱交換器（40）が貯留タンク（21）に設けられた冷媒側通路を流れる冷媒と貯留タンク（21）に貯留された水とを熱交換させるように構成されていてもよい。
【０１４７】
なお、以上の実施形態は、本質的に好ましい例示であって、この発明、その適用物、あるいはその用途の範囲を制限することを意図するものではない。
【産業上の利用可能性】
【０１４８】
以上説明したように、上述の給湯空調システム（10）は、給湯と空調とを行う給湯空調システムとして有用である。
【符号の説明】
【０１４９】
１０            給湯空調システム
２０            水回路
２１            貯留タンク
２５            加熱器
３０            冷媒回路
３１            圧縮機
３２            室内熱交換器
３３            膨張機構
３４            室外熱交換器
３５            四方切換弁
４０            冷媒/水熱交換器
５０            減圧器
７０            補助熱交換器
【図１】
2015124912.tif 000003
【図２】
2015124912.tif 000004
【図３】
2015124912.tif 000005
【図４】
2015124912.tif 000006
【図５】
2015124912.tif 000007
【図６】
2015124912.tif 000008
【図７】
2015124912.tif 000009
【図８】
2015124912.tif 000010
【図９】
2015124912.tif 000011